(57)【要約】  【課題】  本発明は、操作ミスや誤りによって、もしくは意図的に、短縮番号やワンタッチダイヤルキーに対応して登録された通信先電話番号やメールアドレスを削除した場合、再登録を容易にすることができる情報通信端末装置を提供することを目的とする。  【解決手段】短縮／ワンタッチダイアル情報登録部３ａに記憶された、通信先電話番号やメールアドレスなどの通信用番号及び当該通信用番号に付随する情報を削除したとき、短縮／ワンタッチダイアル情報登録部３ｂに移動（退避）し一時的に格納することができる。操作部４で入力された通信用番号と一致する通信用番号が、前記短縮／ワンタッチダイアル情報登録部３ｂに存在することを確認すると、確認された前記短縮／ワンタッチダイアル情報登録部３ｂ内の前記通信用番号及び当該通信用番号に付随する情報を、前記短縮／ワンタッチダイアル情報登録部３ａに再登録するか否かの確認が行われる。再登録が指示されれば、再登録が実行される。  【選択図】      図１
2005136468.tif 000002
【特許請求の範囲】
【請求項１】
複数のキー操作それぞれに対して、通信相手先を特定する通信用番号を割り当てて記録した第一記憶部を有し、前記複数のキー操作のうちの一つが操作されたとき、操作されたキー操作に対して、割り当てられた前記通信用番号を前記第一記憶部から読み出す情報通信端末装置において、
前記第一記憶部に記憶された前記通信用番号及び当該通信用番号に付随する情報を削除するときに、削除された当該通信用番号及び当該通信用番号に付随する情報を一時的に格納する第二記憶部を備えることを特徴とする情報通信端末装置。
【請求項２】
前記第二記憶部に一時的に格納された前記通信用番号及び当該通信用番号に付随する情報を、前記第一記憶部に再登録する再登録部を備えることを特徴とする請求項１に記載の情報通信端末装置。
【請求項３】
入力された前記通信用番号と一致する通信用番号が、前記第二記憶部内に存在することを確認すると、確認された前記第二記憶部内の前記通信用番号及び当該通信用番号に付随する情報を前記再登録部により再登録することを特徴とする請求項１又は請求項２に記載の情報通信端末装置。
【請求項４】
前記通信用番号及び当該通信用番号に付随する情報を、前記第二記憶部から前記第一記憶部に再登録するとき、再登録する当該通信用番号を呼出すために割り当てられたキー操作が、前記第一記憶部に格納された通信用番号を呼出すために割り当てられたキー操作のうちの一つと同一であるか否かを確認する判定部を備えることを特徴とする請求項１〜請求項の３のいずれかに記載の情報通信端末装置。
【請求項５】
前記判定部が、前記再登録する通信用番号を呼出すために割り当てられたキー操作が、前記第一記憶部に格納された通信用番号を呼出すために割り当てられたキー操作のうちの一つと同一であると確認したとき、新たに前記再登録する通信用番号を呼出すために割り当てられたキー操作を指定し、該キー操作を前記再登録する通信番号とともに、前記第一記憶部に記憶することを特徴とする請求項４に記載の情報通信端末装置。
【請求項６】
前記通信用番号及び当該通信用番号に付随する情報を、削除するための優先度の順位が設定するとともに、前記優先度に基づいて前記第二記憶部に格納された前記通信用番号及び当該通信用番号に付随する情報を並べ替える、並べ替え実行部を備えることを特徴とする請求項１〜請求項５のいずれかに記載の情報通信端末装置。
【請求項７】
前記優先度を指定するための複数の条件を備えるとともに、該複数の条件の順位設定が可能であり、設定された前記複数の条件の順位に従って、前記優先度が設定されることを特徴とする請求項６に記載の情報通信端末装置。
【請求項８】
前記第二記憶部に格納された前記通信用番号及び当該通信用番号に付随する情報のうち、最も優先順位が上位のものを自動的に削除することを特徴とする請求項６又は請求項７に記載の情報通信端末装置。
【請求項９】
前記第二記憶部に格納された前記通信用番号及び当該通信用番号に付随する情報を、個別に指定し削除することを特徴とする請求項１〜請求項８のいずれかに記載の情報通信端末装置。
【請求項１０】
前記第一記憶部と第二記憶部とが独立した記憶領域であることを特徴とする請求項１〜請求項９のいずれかに記載の情報通信端末装置。
【請求項１１】
記憶容量が一定の１つの記憶領域に第一記憶部と第二記憶部とが構成され、該記憶領域において前記第一記憶部として使用する領域が優先的に作成されることを特徴とする請求項１〜請求項９のいずれかに記載の情報通信端末装置。
【発明の詳細な説明】
【技術分野】
【０００１】
本発明は、短縮／ワンタッチダイヤル機能を備えた情報通信端末装置に関する。
【背景技術】
【０００２】
従来より、電話又はファクシミリ通信や電子メール通信において、通信相手先番号を簡単な操作で指定する機能として、ワンタッチダイヤル機能や短縮ダイヤル機能などが用いられている。ワンタッチダイヤル機能は、あらかじめ設けられたワンタッチダイヤルキーに対応させて通信先電話番号やメールアドレスを登録しておけば、後は、通信先電話番号やメールアドレスに対応するワンタッチダイヤルキーを押すだけで、登録した前記通信先電話番号やメールアドレスを、自動発呼可能な機能である。短縮ダイアル機能は、テンキー操作により短縮番号（通常２桁）を指定するとともに、通信先電話番号やメールアドレスを登録しておけば、後は、短縮番号をテンキーにより入力するだけで、登録した前記電話番号やメールアドレスを自動発呼できる機能である。
【０００３】
例えば、電話回線とともに、ＬＡＮなどのネットワークやインターネットに接続でき、ファクシミリ通信及び電子メール通信の両方ができる情報通信端末においては、このようなワンタッチダイヤル機能や短縮ダイアル機能を発揮させるために、装置内のメモリの中に、利用者によって指定される番号もしくはキー操作を、その指定する相手先番号とともに、ワンタッチダイヤル又は短縮番号として登録しておくための記憶領域が用意されている。この記憶領域に通信先の電話番号やメールアドレスを多数登録することによって、通信時に短縮番号やワンタッチダイヤルに対応するキーを操作するだけで、簡単に通信操作を行うことができる。このような装置においては、短縮番号やワンタッチダイヤルキーとして登録できる通信先電話番号やメールアドレスの数が、メモリ容量の制約から制限されている。
【０００４】
このため、登録した通信先電話番号やメールアドレスが制限数に達したとき、新たに通信先電話番号やメールアドレスを追加登録しようとしても、既に登録されている通信先電話番号やメールアドレスの幾つかを削除しなければ、追加登録できない。しかしながら、装置を複数の利用者で使用しているような場合には、どの通信先電話番号やメールアドレスを削除して良いのか判断が困難になり、通信回数の多い通信先電話番号やメールアドレスを誤ってメモリから削除することや、最近使用されている通信先電話番号やメールアドレスを誤ってメモリから削除してしまうという問題があった。
【０００５】
このような問題を解決するために、従来技術として、例えば、通信を行った回数を記憶する領域として設けられている通信回数メモリエリアに記憶されている各通信先電話番号やメールアドレスの通信回数を確認するとともに、通信を行った最終通信日時を記憶する領域として設けられている最終通信日時メモリエリアに記憶されている各通信先電話番号やメールアドレスの最終通信日時を確認した後、通信回数の少ないもの或いは最終通信日時の古いものを削除する情報通信端末装置が提案されている（特許文献１参照）。この情報通信端末装置では、通信先電話番号やメールアドレスの通信回数を優先にして並べ替えを実行すると、通信回数メモリエリアに記憶されている各通信先電話番号やメールアドレスの通信回数に従って、通信回数の値が大きい順に並べ替えを行う。又、通信先電話番号やメールアドレスの最終通信日時を優先にして並べ替えを実行すると、最終通信日時メモリエリアに記憶されている各通信先電話番号やメールアドレスの最終通信日時に従って、最近に通信されたものから順に並べ替えを行う。このように通信回数または最終通信日時に基づいて並べ替えられた結果に基づき、一括削除又は個別削除又は範囲削除する通信先電話番号やメールアドレスを確認し、当該通信先電話番号やメールアドレスの削除を実行する。
【特許文献１】特開２００３−１８２８１号公報
【発明の開示】
【発明が解決しようとする課題】
【０００６】
上述の特許文献１による技術は、通信回数の多い通信先電話番号やメールアドレスを誤ってメモリから削除することや、最近使用されている通信先電話番号やメールアドレスを誤ってメモリから削除してしまうことを極力防止するために提案されたものである。しかし、単なる操作ミスや誤りによって、削除してはならない通信先電話番号やメールアドレスを削除してしまった場合、削除したデータを元に戻すことはできない。また、意図的に削除したデータについても、その後必要になった場合、同様に、削除したデータを元に戻すことはできない。そのため、一度削除した通信先電話番号やメールアドレスを、再び短縮番号やワンタッチダイヤルキーを用いて通信する場合、その通信先電話番号やメールアドレスを再登録する必要があり、このような場合、その操作が煩雑なものとなる。特に、大量のデータを再登録する場合は、このような問題が顕著なものとなる。
【０００７】
本発明は、短縮番号やワンタッチダイヤルキーに対応して登録された通信先電話番号やメールアドレスを操作ミスや誤りによって、もしくは意図的に、削除した場合、再登録を容易にすることができる情報通信端末装置を提供することを目的とする。
【課題を解決するための手段】
【０００８】
上記目的を達成するために、請求項１に記載の情報通信端末装置は、複数のキー操作それぞれに対して、通信相手先を特定する通信用番号を割り当てて記録した第一記憶部を有し、前記複数のキー操作のうちの一つが操作されたとき、操作されたキー操作に対して、割り当てられた前記通信用番号を前記第一記憶部から読み出す情報通信端末装置において、  前記第一記憶部に記憶された前記通信用番号及び当該通信用番号に付随する情報を削除するときに、削除された当該通信用番号及び当該通信用番号に付随する情報を一時的に格納する第二記憶部を備えることを特徴とする。
【０００９】
請求項１の発明においては、複数のキー操作として短縮番号やワンタッチダイヤルキーを採用し、第一記憶部には、例えば、通信用番号として通信先電話番号やメールアドレスを記憶させておき、それに付随する情報として通信先名称、最終使用年月日、使用回数を記憶させておくと、それらの情報を削除した後も、第二記憶部に格納、保持（退避）することができる。
【００１０】
請求項２に記載の情報通信端末装置は、請求項１の発明において、前記第二記憶部に一時的に格納された前記通信用番号及び当該通信用番号に付随する情報を、前記第一記憶部に再登録する再登録部を備えることを特徴とする。
【００１１】
請求項２の発明においては、第二記憶部に記憶させていた通信用番号及び通信用番号に付随する情報を第一記憶部に再登録する機能を実現するのに、図１に示すＣＰＵ（中央演算装置）１を用いたソウフトウェア機能によって可能であり、それ以外にも、独立した回路構成を設けることによっても実現可能である。
【００１２】
請求項３に記載の情報通信端末装置は、請求項１又は請求項２の発明において、入力された前記通信用番号と一致する通信用番号が、前記第二記憶部内に存在することを確認すると、確認された前記第二記憶部内の前記通信用番号及び当該通信用番号に付随する情報を前記再登録部により再登録することを特徴とする。
【００１３】
請求項４に記載の情報通信端末装置は、請求項１〜請求項３いずれかの発明において、前記通信用番号及び当該通信用番号に付随する情報を、前記第二記憶部から前記第一記憶部に再登録するとき、再登録する当該通信用番号を呼出すために割り当てられたキー操作が、前記第一記憶部に格納された通信用番号を呼出すために割り当てられたキー操作のうちの一つと同一であるか否かを確認する判定部を備えることを特徴とする。
【００１４】
請求項４の発明においては、判定部による機能を実現するのに、図１に示すＣＰＵ（中央演算装置）１を用いたソウフトウェア機能によって可能であり、それ以外にも、独立した回路構成を設けることによっても実現可能である。
【００１５】
請求項５に記載の情報通信端末装置は、請求項４の発明において、前記判定部が、前記再登録する通信用番号を呼出すために割り当てられたキー操作が、前記第一記憶部に格納された通信用番号を呼出すために割り当てられたキー操作のうちの一つと同一であると確認したとき、新たに前記再登録する通信用番号を呼出すために割り当てられたキー操作を指定し、該キー操作を前記再登録する通信番号とともに、前記第一記憶部に記憶することを特徴とする。
【００１６】
請求項６に記載の情報通信端末装置は、請求項１〜請求項５いずれかの発明において、前記通信用番号及び当該通信用番号に付随する情報を、削除するための優先度の順位が設定するとともに、前記優先度に基づいて前記第二記憶部に格納された前記通信用番号及び当該通信用番号に付随する情報を並べ替える、並べ替え実行部を備えることを特徴とする。
【００１７】
請求項６の発明においては、並べ替え実行部による機能を実現するのに、図１に示すＣＰＵ（中央演算装置）１を用いたソウフトウェア機能によって可能であり、それ以外にも、独立した回路構成を設けることによっても実現可能である。
【００１８】
請求項７に記載の情報通信端末装置は、請求項６の発明において、前記優先度を指定するための複数の条件を備えるとともに、該複数の条件の順位設定が可能であり、設定された前記複数の条件の順位に従って、前記優先度が設定されることを特徴とする。
【００１９】
請求項７の発明においては、複数の条件として、例えば、後述するように、退避日時、使用回数、最終使用日時、名称などがあるが、勿論、これらに限定されるものではなく、他の条件を備えることも可能である。
【００２０】
請求項８に記載の情報通信端末装置は、請求項６又は請求項７の発明において、前記第二記憶部に格納された前記通信用番号及び当該通信用番号に付随する情報のうち、最も優先順位が上位のものを自動的に削除することを特徴とする。
【００２１】
請求項９に記載の情報通信端末装置は、請求項１〜請求項８いずれかの発明において、前記第二記憶部に格納された前記通信用番号及び当該通信用番号に付随する情報を、個別に指定し削除することを特徴とする。
【００２２】
請求項１０に記載の情報通信端末装置は、請求項１〜請求項９いずれかの発明において、前記第一記憶部と第二記憶部とが独立した記憶領域であることを特徴とする。
【００２３】
請求項１１に記載の情報通信端末装置は、請求項１〜請求項９いずれかの発明において、記憶容量が一定の１つの記憶領域に第一記憶部と第二記憶部とが構成され、該記憶領域において前記第一記憶部として使用する領域が優先的に作成されることを特徴とする。
【００２４】
請求項１１の発明においては、一つの記憶領域を第一記憶部として使用し、空きメモリ領域を第二記憶部として使用すれば、効率にメモリ領域を使用し、本発明を実施することができる。
【発明の効果】
【００２５】
本発明によると、削除された通信用番号及び通信用番号に付随する情報を格納する第二記憶部を備えるので、第一記憶部に記憶された通信用番号及び通信用番号に付随する情報を削除したとき、削除された通信用番号及び通信用番号に付随する情報を一時的に退避させることができる。
【００２６】
また、本発明によると、入力された通信用番号と一致する通信用番号が、第二記憶部内に存在することを確認し、そのとき、一致する通信用番号があれば、再登録するか否かの指示が行われるので、第一記憶部への再登録を容易に行うことが可能である。
【００２７】
また、本発明によると、再登録する通信用番号を呼出すために割り当てられたキー操作が、第一記憶部に格納された通信用番号を呼出すために割り当てられたキー操作のうちの一つと同一であるか否かを確認する判定部を備えているので、誤って、同じキー操作を２重に記憶させることが無い。
【００２８】
また、本発明によると、第二記憶部に格納された通信用番号及び通信用番号に付随する情報を削除するための優先度の順位を設定し、また、優先度に基づいて通信用番号及び通信用番号に付随する情報を並べ替えることができる。さらに、複数の条件の順位設定が可能であり、設定された複数の条件の順位に従って優先度が設定が行われ、並べ替えが行われる。それらの結果に基づいて、自動削除もしくは個別削除が行われるので、退避領域から削除したくないものや削除するべき優先度の低いものを削除する可能性を、低くすることができる。
【００２９】
また、本発明によると、記憶容量が一定の１つの記憶領域に第一記憶部と第二記憶部とが構成され、記憶領域において第一記憶部として使用する領域が優先的に作成されるので、独立して退避領域を持つ必要がなく、空きメモリ領域を退避領域として使用すれば、余分なメモリを使用することなく、本発明を実施可能で、かつ記憶領域を効率的に利用できる。
【発明を実施するための最良の形態】
【００３０】
以下、発明の詳細を添付図面に基づいて説明する。
【実施例１】
【００３１】
本発明の実施例１について、図面を参照して説明する。図１は情報通信端末装置の構成を示すブロック図である。１は制御部本体を構成するＣＰＵ（中央演算装置）、２はこのＣＰＵ１が各部を制御するためのプログラムデータを格納したＲＯＭ、３はデータ処理、演算処理等に使用するＤＲＡＭやファクシミリ通信に使用する通信相手先電話番号及びメールアドレスを登録するＳＲＡＭ等で構成されたＲＡＭである。また、本実施形態において、ＲＡＭ３は、ワンタッチダイヤルキー及び短縮番号入力などの操作によりファクシミリ通信を行うために登録される通信先宛先情報（電話番号又はメールアドレス等）をワンタッチダイヤルキー及び短縮番号と対応つけて記憶する短縮／ワンタッチダイヤル情報登録部３ａと、前記短縮／ワンタッチダイヤル登録部３ａから削除された通信先宛先情報を格納する削除済み短縮／ワンタッチダイヤル情報退避部３ｂの記憶領域（退避領域）を、その内部に有する。
【００３２】
又、４は操作部である。操作部４の例として図３のような構成が考えられる。通信先名称や通信先電話番号やメールドレスなどを入力するテンキー４１、登録した電話番号や電子メールアドレスを呼出すＡ〜Ｚからなるワンタッチダイヤルキー４２、ファックス通信機能を選択するファックスキー４３、電子メール機能を選択する電子メールキー４４、短縮番号を入力し、対応する登録済みの通信先電話番号やメールアドレスの呼出しを行う呼出しキー４５、通信実行する通信実行キー４６、削除したデータを再登録させる再登録キー４７、データの削除を実行させる削除キー４８、入力した数や文字を消去するキャンセルキー４９等を設けている。
【００３３】
図１に戻って、５は表示部であり、登録された宛先情報等を画面表示する。６はファクシミリ送信する原稿や電子メール送信する原稿を読み取る読取部、７は画像データを印刷する印刷部である。８は送信する画像データを圧縮し、また、受信した画像データを伸張する画像圧縮伸張部、９は前記読取部６が原稿を読み取って得られる画像データや受信したデータ等を一時格納する画像メモリ部である。１０は年月日及び時刻を計時する時計回路、１１は電話回線Ｌ１に接続されるとともに電話回線Ｌ１を介してファクシミリ通信を制御する回線制御部である。１２はＬＡＮインターフェースであり、回線Ｌ２によりＬＡＮを経由し、インターネットＮと接続されている。
【００３４】
前記ＣＰＵ１と、ＲＯＭ２、ＲＡＭ３、操作部４、表示部５、読取部６、印刷部７、画像圧縮伸張部８、画像メモリ部９、時計回路１０、回線制御部１１、ＬＡＮインターフェース１２はバスライン１３を介して電気的に接続されている。
【００３５】
図２は前記ＲＡＭ３に設けたファクシミリ通信に使用する通信先電話番号及び電子メール通信に使用する通信先メールアドレスを登録する短縮／ワンタッチダイヤル情報登録部３ａに記憶された記憶内容３１の構成を示す図である。この短縮／ワンタッチダイヤル情報登録部３ａには１〜１００の連番を付しており、短縮番号には１〜７４を割り当て、ワンタッチダイヤルキーには７５〜１００番を割り当てるものとする。割り当てられた連番内で、ワンタッチダイヤルの場合は操作するキーがＡ〜Ｚの２６種類とし、短縮番号の場合は０１〜７４が短縮番号として使用されるものとする。通信先電話番号又はメールアドレス及び通信先名称を登録するメモリエリアと使用回数及び最終使用時のデータを逐次更新するメモリエリアとが設けられている。前記削除済み短縮／ワンタッチダイヤル情報退避部３ｂには、後述するように、短縮番号／ワンタッチダイヤルキー、通信先電話番号又はメールアドレス及び通信先名称、使用回数及び最終使用日時に加え、退避日時の情報が格納可能である。
【００３６】
この情報通信端末は、ファクシミリ通信を行うとき、原稿を読取部６にセットして、操作部４にて、登録されている通信先電話番号に対応したワンタッチダイヤルキーを操作するか、登録されている通信先電話番号に対応した短縮番号を入力してキーを操作すると、ＲＡＭ３の短縮／ワンタッチダイヤル情報登録部３ａから通信先電話番号が呼出され通信先との回線接続が行われる。
【００３７】
そして、読取部６は原稿を１枚ずつ読み取り、読み取った画像データが画像メモリ部９に格納される。画像メモリ部９に格納された画像データは画像圧縮伸張部８にて圧縮されて画像メモリ部９に再び格納された後、順次、回線制御部１１に送られて通信先へ通信される。そして、通信が終了すると、通信を行った通信先電話番号に対応している短縮／ワンタッチダイヤル情報登録部３ａに登録されている使用回数を１回分計数する。又、このとき、時計回路１０から年月日及び時刻の情報が読み出された後、通信を行った通信先電話番号に対応している短縮／ワンタッチダイヤル情報登録部３ａ内に最終使用年月日として登録される。
【００３８】
また、電子メール通信を行うときは、原稿を読取部６にセットし、操作部４にて、登録されている通信先メールアドレスに対応したワンタッチダイヤルキーを操作するか、登録されている通信先メールアドレスに対応した短縮番号を入力し、呼出しキーを操作する。そうすると、ＲＡＭ３の短縮／ワンタッチダイヤル情報登録部３ａから通信先メールアドレスが呼出されプロバイダとの接続が行われる。
【００３９】
そして、読取部６が原稿を１枚ずつ読み取り、読み取った画像データが画像メモリ部９に格納される。画像メモリ部９に格納された画像データは画像圧縮伸張部８にて圧縮されて画像メモリ部９に格納される。この画像メモリ部９に格納された圧縮データは、ＲＯＭ２内のアプリケーションが使用されることで、メール用ファイルとしてＣＰＵ１によって編集されてＲＡＭ３に格納される。そして、ＲＡＭ３内に格納されたメール用ファイルが、通信先メールアドレスとともにＬＡＮインターフェース１２に送られ、回線Ｌ２によりＬＡＮを経由して、プロバイダへの通信が行われる。そして、通信が終了すると、短縮／ワンタッチダイヤル情報登録部３ａの通信先メールアドレスが登録されているメモリエリアにおいて、使用回数が１日分計数されるとともに、最終使用日時が時計回路１０から読み出された内容に更新される。
【００４０】
図４は、前記ＲＡＭ３に設けた前記削除済み短縮／ワンタッチダイヤル情報退避部３ｂに記憶された記憶内容３２の構成を示す図である。この記憶内容３２は、前記短縮／ワンタッチダイヤル情報登録部３ａから削除されて削除済み短縮／ワンタッチダイヤル情報退避部３ｂに前記記憶内容３１から移動（退避）された内容に加えて、移動された日時（退避日時）を記憶している。図４の例では、各データごとに順に１〜５０の番号が割り振られており、番号１〜２５の領域には退避した内容が既に登録され、番号２６〜５０の領域は未使用とされている。
【００４１】
図５は、前記短縮／ワンタッチダイヤル情報登録部３ａから、短縮番号やワンタッチダイヤルキーに対応して登録されている通信先電話番号又はメールアドレスや通信先名称などの記憶内容３１の情報を削除するときのフローチャート図である。前記ＣＰＵ１は、まず、ステップＳ１にて、短縮／ワンタッチダイヤル情報登録部３ａに格納されたデータを削除するように指示されたか否かを確認する。データの削除が指示されていない場合は、処理は終了となる。データの削除が指示された場合、ステップＳ２にて、前記削除済み短縮／ワンタッチダイヤル情報退避部３ｂの記憶領域（退避領域）に空き領域があるかどうかを判断する。このとき、退避領域に空き領域が確認された場合は、ステップＳ１０にて、短縮／ワンタッチダイヤル情報登録部３ａに格納されていた記憶内容３１から削除するデータを選択し、削除を行う。次に、ステップＳ１１にて、削除済み短縮／ワンタッチダイヤル情報退避部３ｂに、当該削除されたデータを移動（退避）する。そのとき、同時に退避した日時を記憶内容３２に加え、記憶する。
【００４２】
ステップＳ２にて、削除済み短縮／ワンタッチダイヤル情報退避部３ｂの退避領域に空き領域が無いと判定された場合は、ステップＳ３にて、優先順位の設定が行われる。優先順位の項目として、退避領域に退避した日時、使用回数、最終使用年月日、名称（アイウエオ順）が選択されるものとする（図示せず。）。ステップＳ４にて、前記短縮／ワンタッチダイヤル情報退避部３ｂに格納された記憶内容３２の内容の並べ替えが指示されたか否かを確認する。そして、並び替えが指示されたとき、ステップＳ５にて、並べ替えが実行され、並べ替えられた順に連番が付加される。一方、ステップＳ４にて、並べ替えを行わないことが指示されれば、上記の並べ替え処理は省略される。
【００４３】
続いて、ステップＳ６にて、削除方法が自動削除及び個別削除のいずれが選択されたかを確認する。このとき、自動削除が選択されている場合は、ステップＳ６Ａにて、短縮／ワンタッチダイヤル情報退避部３ｂに格納されたデータのうち、優先順位の最も高いデータを自動的に選択し、削除を行う。その後、ステップＳ１０に移行して、ステップＳ１０、ステップＳ１１の動作を行う。
【００４４】
又、ステップＳ６にて、個別削除が選択されている場合、ステップＳ７にて、退避領域から削除するデータの連番番号が個別に指定される。そして、ステップＳ８にて、短縮／ワンタッチダイヤル情報退避部３ｂからのデータを削除することが指示されると、ステップＳ９にて、ステップＳ７で指定された連番番号の短縮番号／ワンタッチダイヤル番号、通信先電話番号及びメールアドレス、通信先名称、退避日時、最終使用年月日、使用回数の内容が削除され、退避領域に空き領域ができる。その後、ステップＳ１０に移行して、ステップＳ１０以降の動作が行われる。
【００４５】
図６は、並べ替えを実行するときのフローチャートである。ステップＳ６１にて、並べ替え実行の優先順位が確認される。第１優先項目が退避日時ａ、第２優先項目が使用回数ｂ、第３優先項目が最終使用日時ｃ、第４優先項目が名称ｄである（以下、ａ、ｂ、ｃ、ｄと図示する。）。まず、ステップＳ６２にて、前記記憶内容３２に記憶されている退避日時ａに従って、最初に退避したデータから最近に退避したものまで、順に並べ替えられる。ステップＳ６３にて、同一退避日時のものが無いことが確認されれば、ステップＳ６９にて、並べ替え結果が画面表示され、処理は終了する。ステップＳ６３にて、同一退避日時のものが複数あることが確認されれば、ステップＳ６４にて、当該同一退避日時のデータの並べ替えが、第２優先項目である使用回数ｂで実行され、使用回数ｂの一番少ないものがその中で一番上になる。ステップＳ６５にて、同位の情報がないことが確認されれば、ステップＳ６９にて、並べ替え結果が画面表示され、処理は終了する。ステップＳ６５にて、それでも同位のものが複数あることが確認されれば、ステップＳ６６にて、第３優先項目である最終使用日時ｃで並べ替えが実行され、その中で一番古いものが一番上になる。以下同様にして、第４優先項目である名称ｄに関しても、アイウエオ順で並べ替えられる。このとき、退避領域において並び替えられた各データには、並び替えられた順に連番が付加され、ステップＳ６９にて、並べ替えた結果は画面表示される。
【００４６】
図７は、短縮番号／ワンタッチダイヤルキーを利用者が再登録するときのフローチャート図である。まず、ステップＳ２１にて、通信先電話番号又はメールアドレスが入力されたか否かが確認され、入力がない場合は処理は終了する。ステップＳ２１で通信先電話番号又はメールアドレスの入力の終了を確認すると、ステップＳ２２にて当該通信先電話番号又はメールアドレスが、前記短縮／ワンタッチダイヤル情報登録部３ａに記憶された記憶内容３１に登録されているどうか否かを判断する。このとき、登録されていれば処理は終了する。記憶内容３１に登録されていなければ、ステップＳ２３にて、前記短縮／ワンタッチダイヤル情報退避部３ｂに記憶された記憶内容３２の中に、前記入力した通信先電話番号又はメールアドレスと一致する通信先があるか否かを判定する。一致する通信先電話番号又はメールアドレスが確認されなければ、処理は終了する。逆に、一致する通信先が確認されると、ステップＳ２４にて、再登録が指示されたか否かを確認する。このとき、再登録が指示されなければ処理は終了する。逆に、再登録が指示されると、ステップＳ２５にて、前記短縮／ワンタッチダイヤル情報登録部３ａに記憶された記憶内容３１の中に、再登録をしようとしている短縮番号（この場合０１〜７４）やワンタッチダイヤルキー（この場合Ａ〜Ｚ）と同じものが登録されているか否かを判定する。このとき、同一の短縮番号やワンタッチダイヤルキーが登録されていなければ、ステップＳ２７で、前記短縮／ワンタッチダイヤル情報退避部３ｂに記憶された記憶内容３２と同じ短縮番号もしくはワンタッチダイヤルキーと、通信先電話番号及び電子メールアドレス、通信先名称、最終使用年月日、使用回数の再登録を行う。再登録をしようとしている短縮番号（この場合０１〜７４）やワンタッチダイヤルキー（この場合Ａ〜Ｚ）と同じものが登録されていれば、利用者によって新たに使用する短縮番号／ワンタッチダイヤルキーが選択、入力され、通信先電話番号及び電子メールアドレス、通信先名称、最終使用年月日、使用回数の再登録を行う。
【００４７】
その後、連続して通信を行った場合は、通信が終了すると、通信を行った通信先電話番号に対応している短縮／ワンタッチダイヤル情報登録部３ａに登録されている使用回数を１回分計数する。又、このとき、時計回路１０から年月日及び時刻の情報が読み出された後、通信を行った通信先電話番号に対応している短縮／ワンタッチダイヤル情報登録部３ａ内に最終使用年月日として登録される。
【００４８】
図８は短縮番号／ワンタッチダイヤルキー再登録と通信をするときの、表示部５における画面表示の例である。まず、ステップＳ３１で通信先電話番号やメールアドレスの入力を要求する表示がなされる。このとき、電話番号１２３４５６７８９０が入力されると、ステップＳ３２のように入力された電話番号が表示される。次に通信キーが押下されると、前記短縮／ワンタッチダイヤル情報退避部３ｂに記憶された記憶内容３２の中に、電話番号１２３４５６７８９０と同じ電話番号が格納されていれば、ステップＳ３３のように表示されて、再登録を行うか否かを利用者に尋ねる。再登録しないことが指示されると、画像メモリに通信データが送られて、通信動作が行われる。このとき、ステップＳ３５のように、メモリ入力を表す表示がなされた後、ステップＳ３６のように、通信中であることを示す表示がなされる。その後、通信が終了して、ステップＳ３７のような通信終了を表す画面表示がされた後、一定時間経過すると、再び、ステップＳ３１の通信先入力画面が表示される。又、ステップＳ３３の表示の後、再登録することが指示されると、ステップＳ３４のように、電話番号１２３４５６７８９０の再登録が完了したことが表示される。そして、一定時間、画面表示した後、画像メモリに通信データが入力されてステップＳ３５の表示がなされるとともに、通信動作に移行してステップＳ３６のような表示を行い、通信中であることを示す。そして、通信が終了すると、ステップＳ３７のような通信終了画面を表示する。
【実施例２】
【００４９】
本発明の実施例２について、図面を参照して説明する。本実施例の情報通信端末装置の構成を示すブロック図は図９に示す。実施例１の説明に用いた図１に記載された削除済み短縮／ワンタッチダイヤル情報退避部がない以外は、図１と構成は同じなので、同一の符号を付して、その詳細な説明は省略する。操作部についても、本実施例は実施例１の図３と同じなので、図３を参照し、その詳細な説明は省略する。
【００５０】
図１０は本実施例の短縮／ワンタチダイアル情報登録部３ａの記憶内容３３を示す。各データには１〜５０の連番が付されている。本実施例は、実施例１と異なり、前記ＲＡＭ３内に前記削除済み短縮／ワンタッチダイヤル情報退避部３ｂを独立して持たず、前記短縮／ワンタチダイアル情報登録部３ａの未使用の空きメモリ領域が退避領域として用いられる。短縮／ワンタチダイアル情報登録部３ａは通常、最大登録件数分のメモリ領域を予め確保している。そのため、未登録のメモリ領域を退避領域として使用すれば、余分なメモリを使用することなく、本実施例は実施例１と同様に実施可能である。この例では、短縮番号の場合、情報登録部として連番１と２からなるメモリ領域９１を用い、情報退避部として連番２５番と２６番からなるメモリ領域９２にデータを退避させている。また、ワンタッチダイヤルの場合、情報登録部として連番２７と２８からなるメモリ領域９３を用い、情報退避部として連番４９番と５０番からなるメモリ領域９４にデータを退避させている。さらに退避させたいデータがあるときは、未登録の記憶エリアに、そのデータの退避が可能である。
【００５１】
図１１は、前記短縮／ワンタッチダイヤル情報登録部３ａから、短縮番号やワンタッチダイヤルキーに対応して登録されている通信先電話番号又はメールアドレス、通信先名称など、記憶内容３３の前記メモリ領域９１や前記メモリ領域９３に記憶されている情報を削除するときのフローチャート図である。退避領域として、実施例１で用いていた前記削除済み短縮／ワンタッチダイヤル情報退避部３ｂの記憶領域を、本実施例では前記短縮／ワンタチダイアル情報登録部３ａの未使用の空きメモリ領域に置き換えただけで、基本的フローは同じなので、同一の符号を付して、その詳細な説明は省略する。
【００５２】
図１２は、短縮番号／ワンタッチダイヤルキーを利用者が再登録するときのフローチャート図である。退避領域として、実施例１で用いていた前記削除済み短縮／ワンタッチダイヤル情報退避部３ｂの記憶領域を、本実施例では前記短縮／ワンタチダイアル情報登録部３ａの未使用の空きメモリ領域に置き換えただけで、基本的なフローは同じなので、同一の符号を付して、その詳細な説明は省略する。
【００５３】
図１３は、図１０の本実施例の短縮／ワンタチダイアル情報登録部３ａの記憶内容３４において、情報登録部として用いていたメモリ領域９１内に記憶されていた連番２のデータを、空きメモリ領域であった連番２４に退避した後の、記憶内容を示したものである。同様に、ワンタッチダイヤルキーについても情報登録部として用いていたメモリ領域９３に記憶されているデータを、空きメモリ領域に退避可能である。
【図面の簡単な説明】
【００５４】
【図１】は、本発明の実施例１の情報通信端末装置の構成を示すブロック図である。
【図２】は、本発明の実施例１に係る短縮／ワンタッチダイヤル情報登録部３ａに記憶された記憶内容３１を示す図である。
【図３】は、本発明の情報通信端末装置の操作部を示す図である。
【図４】は、本発明の実施例１に係る短縮／ワンタッチダイヤル情報退避部３ｂに記憶された記憶内容３２を示す図である。
【図５】は、本発明の実施例１に係る短縮／ワンタッチダイヤル情報登録部３ａから、記憶内容３１の情報を削除するときのフローチャート図である。
【図６】は、並べ替えを実行するときのフローチャート図である。
【図７】は、本発明の実施例１において短縮番号／ワンタッチダイヤルキーを再登録するときのフローチャート図である。
【図８】は、短縮番号／ワンタッチダイヤルキー再登録と通信をするときの、表示部５における画面表示の例を示す図である。
【図９】は、本発明の実施例２の情報通信端末装置の構成を示すブロック図である。
【図１０】は、本発明の実施例２係る短縮／ワンタッチダイヤル情報登録部３ａに記憶された記憶内容３３を示す図である。
【図１１】は、本発明の実施例２係る前記短縮／ワンタッチダイヤル情報登録部３ａから、記憶内容３３の情報を削除するときのフローチャート図である。
【図１２】は、本発明の実施例２において短縮番号／ワンタッチダイヤルキーを再登録するときのフローチャート図である。
【図１３】は、本発明の実施例２係る短縮／ワンタチダイアル情報登録部３ａにおいて、情報登録部の領域に記憶されていたデータを空きメモリ領域に退避した後の、記憶内容を示す図である。
【符号の説明】
【００５５】
１    ＣＰＵ（中央演算装置）
２    ＲＯＭ
３    ＲＡＭ
３ａ  短縮／ワンタッチダイヤル情報登録部
３ｂ  短縮／ワンタッチダイヤル情報退避部
４    操作部
５    表示部
６    読取部
７    印刷部
８    画像圧縮伸張部
９    画像メモリ部
１０  時計回路
１１  回線制御部
１２  ＬＡＮインターフェイス
１３  バスライン
Ｌ２  回線
Ｎ    インターネット
３１  情報登録部記憶内容
３２  情報退避部記憶内容
３３  情報登録部記憶内容
３４  退避実行済情報登録部記憶内容
４１  テンキー
４２  ワンタッチダイヤルキー
４３  ファックスキー
４４  電子メールキー
４５  短縮番号呼出しキー
４６  通信実行キー
４７  再登録キー
４８  削除キー
４９  キャンセルキー
９１  短縮番号対応情報登録済メモリ領域
９２  短縮番号対応情報退避済メモリ領域
９３  ワンタッチダイヤルキー対応情報登録済メモリ領域
９４  ワンタッチダイヤルキー対応情報退避済メモリ領域
【図１】
2005136468.tif 000003
【図２】
2005136468.tif 000004
【図３】
2005136468.tif 000005
【図４】
2005136468.tif 000006
【図５】
2005136468.tif 000007
【図６】
2005136468.tif 000008
【図７】
2005136468.tif 000009
【図８】
2005136468.tif 000010
【図９】
2005136468.tif 000011
【図１０】
2005136468.tif 000012
【図１１】
2005136468.tif 000013
【図１２】
2005136468.tif 000014
【図１３】
2005136468.tif 000015